(57)【要約】【課題】既存の鞄に対して容易に装着でき、かつ装着後においても持ち運びが容易になる収納部材及びこれを備えた鞄を提供する。【解決手段】鞄１の把持部３を挿通させるための挿通孔１２が形成され、当該挿通孔１２に前記把持部３を挿通させて鞄１の表面に装着され得る収納部材１０であって、前記鞄１に装着された状態で前記鞄１の表面を覆うカバー部１４と、前記カバー部１４に設けられ被収納物を収納可能な収納部１８と、を有することを特徴とする。【選択図】      図１
2015181768.tif 000002
【特許請求の範囲】
【請求項１】
鞄の把持部を挿通させるための挿通孔が形成され、当該挿通孔に前記把持部を挿通させて前記鞄の表面に覆う収納部材であって、
前記鞄の表面を覆うカバー部と、
前記カバー部に設けられ被収納物を収納可能な収納部と、
を有することを特徴とする収納部材。
【請求項２】
前記カバー部は、前記鞄を挿入可能なカバー部側開口部を有し、当該カバー部側開口部から挿入して収納した前記鞄の全表面を覆うことを特徴とする請求項１に記載の収納部材。
【請求項３】
前記カバー部は、前記カバー部側開口部を開閉するためのカバー部側開閉部を有することを特徴とする請求項２に記載の収納部材。
【請求項４】
前記カバー部側開閉部は、チャック部であることを特徴とする請求項３に記載の収納部材。
【請求項５】
前記収納部は、前記被収納物を挿入可能な収納部側開口部と、前記収納部側開口部を開閉するための収納部側開閉部と、を有することを特徴とする請求項１乃至４のいずれか１項に記載の収納部材。
【請求項６】
前記収納部側開閉部は、チャック部であることを特徴とする請求項５に記載の収納部材。
【請求項７】
前記カバー部は、
前記鞄に装着された状態で前記鞄の一方側表面を覆う第１カバー部と、
前記鞄に装着された状態で前記鞄の他方側表面を覆う第２カバー部と、
を有することを特徴とする請求項１に記載の収納部材。
【請求項８】
前記第１カバー部側と前記第２カバー部側とを相対的に固定する固定部をさらに備えたことを特徴とする請求項７に記載の収納部材。
【請求項９】
前記カバー部には、取付部が接続され、
前記取付部には、被収納物を収納可能な収納部がさらに設けられていることを特徴とする請求項１、７、８のいずれか１項に記載の収納部材。
【請求項１０】
請求項１乃至９のいずれか１項に記載の収納部材が表面に装着されていることを特徴とする鞄。
【発明の詳細な説明】
【技術分野】
【０００１】
本発明は、収納部材及びこれを備えた鞄に関する。
【背景技術】
【０００２】
例えば、会社の勤務中に突然、お客様や上司等から出張を命ぜられることがある。この場合、シャツ、靴下、下着類のストックが会社にある場合でも、通勤用の薄い鞄しか持っていなければ、これらの衣類を収納する鞄を別途購入しなければならず、極めて不便である。
【０００３】
ここで、従来では、鞄やケースなどに着脱可能な収納部材が知られている（下記各特許文献参照）。
【０００４】
【特許文献１】特開平１０−２８６０９号公報
【特許文献２】実用新案登録第３００９７８４号公報
【発明の概要】
【発明が解決しようとする課題】
【０００５】
ところで、上記従来の収納部材は、予め鞄やケースに取り付けられている状態を想定した設計であり、必要に応じて、収納部材を鞄やケースから取り外すことができるものである。
【０００６】
このため、従来の収納部材付きの鞄やケースでは、鞄やケースなどに収納部材を取り付けるための特殊な取付構造が予め施されており、部品点数が増加して、製造コストの上昇の原因となっていた。
【０００７】
また、上記収納部材を鞄やケースに取り付けた状態では、収納部材だけが鞄やケースから大きく出っ張った状態になり、意匠性が悪く、持ち運びに不便であった。換言すれば、出張の予定がわからない日々の勤務では、出張の予定が突然入ることを想定して、収納部材を常に取り付けた状態の鞄やケースを持って通勤しなければならず、持ち運びに適さず、極めて不便な鞄やケースになっていた。
【０００８】
そこで、本発明は、上記問題点に鑑み、既存の鞄に対して容易に装着でき、かつ装着後においても持ち運びが容易になる収納部材及びこれを備えた鞄を提供することを目的とする。
【課題を解決するための手段】
【０００９】
本発明は、鞄の把持部を挿通させるための挿通孔が形成され、当該挿通孔に前記把持部を挿通させて鞄の表面を覆う収納部材であって、前記鞄の表面を覆うカバー部と、前記カバー部に設けられ被収納物を収納可能な収納部と、を有することを特徴とする。
【００１０】
この場合、前記カバー部は、前記鞄を挿入可能なカバー部側開口部を有し、当該カバー部側開口部から挿入して収納した前記鞄の全表面を覆うことを特徴とする。
【００１１】
この場合、前記カバー部は、前記カバー部側開口部を開閉するためのカバー部側開閉部を有することを特徴とする。
【００１２】
この場合、前記カバー部側開閉部は、チャック部であることを特徴とする。
【００１３】
この場合、前記収納部は、前記被収納物を挿入可能な収納部側開口部と、前記収納部側開口部を開閉するための収納部側開閉部と、を有することを特徴とする。
【００１４】
この場合、前記収納部側開閉部は、チャック部であることを特徴とする。
【００１５】
この場合、前記カバー部は、前記鞄に装着された状態で前記鞄の一方側表面を覆う第１カバー部と、前記鞄に装着された状態で前記鞄の他方側表面を覆う第２カバー部と、を有することが好ましい。
【００１６】
この場合、前記第１カバー部側と前記第２カバー部側とを相対的に固定する固定部をさらに備えたことが好ましい。
【００１７】
この場合、前記カバー部には、取付部が接続され、前記取付部には、被収納物を収納可能な収納部がさらに設けられていることが好ましい。
【００１８】
また、本発明は、上記収納部材が表面に装着されている鞄であることを特徴とする。
【発明の効果】
【００１９】
本発明の収納部材によれば、収納部材の挿通孔に既存の鞄の把持部を挿通させて、収納部材を鞄の表面に被せるようにして鞄に装着する。そして、収納部材のカバー部が鞄の表面を覆う。これにより、収納部材を既存の鞄に対して容易に装着することができる。また、収納部材を鞄から容易に取り外すことも可能である。このように、既存の鞄に特殊な構造を一切施すことなく、既存の鞄に対して収納部材を容易に着脱することができる。
【００２０】
カバー部には、被収納物を収納可能な収納部が設けられている。このため、収納部に被収納物を収納することができる。収納部がカバー部側に設けられているため、既存の鞄に施すべき取付構造が不要になり、既存の鞄の携帯性に支障が生じることがない。
【００２１】
カバー部は、鞄を挿入可能なカバー部側開口部を有し、カバー部側開口部から挿入して収納した鞄の全表面を覆うことにより、鞄を収納した収納部材全体の外観がひとつの鞄として認識される。これにより、ひとつの鞄としてのデザインが形成され、デザイン性が向上するとともに、第三者に対して不自然な印象を与えることを防止できる。
【００２２】
カバー部側開閉部によりカバー部側開口部を閉じることにより、鞄を収納した後に鞄がカバー部側開口部から抜け落ちることを防止できる。また、カバー部側開口部をカバー部側開閉部により閉じることにより、カバー部の内部に収納された鞄を隠すことができる。さらに、カバー部側開口部をカバー部側開閉部により閉じることにより、カバー部側開口部を目立たなくすることができる。これらにより、収納部材の高いデザイン性を維持することができる。
【００２３】
カバー部側開閉部がチャック部であることにより、カバー部側開口部を確実に閉じることができ、かつカバー部側開口部を目立たなくすることができる。また、チャック部でカバー部側開口部を閉じることによりカバー部側開口部の近傍が型崩れしない。これにより、収納部材の高いデザイン性を維持することができる。
【００２４】
収納部側開閉部により収納部側開口部を閉じることにより、被収納物を確実に収納することができる。また、収納部側開口部を目立たなくすることができ、収納部材の高いデザイン性を維持することができる。
【００２５】
また、収納部側開閉部がチャック部であることにより、収納部側開口部を容易に開閉することができ、かつ被収納物を収納した状態において収納部側開口部の近傍の型崩れを防止できる。また、チャック部により収納部側開口部を閉じることにより、収納部側開口部の近傍を目立たなくすることができる。これらにより、収納部材の高いデザイン性を維持することができる。
【００２６】
収納部材の挿通孔に既存の鞄の把持部を挿通させて、収納部材を鞄の表面に被せるようにして鞄に装着したときに、収納部材の第１カバー部が鞄の一方側表面を覆い、第２カバー部が鞄の他方側表面を覆う。収納部が第１カバー部と第２カバー部のいずれか一方又は両方に設けることができるため、収納部材の設計自由度を高めることができる。
【００２７】
第１カバー部側と第２カバー部側とを相対的に固定する固定部をさらに備えているため、第１カバー部側と第２カバー部側とを相対的に固定することができる。これにより、収納部材を鞄に装着した後に、収納部材が鞄から容易にはがれてしまうことを防止できる。
【００２８】
カバー部には取付部が接続され、この取付部には被収納物を収納可能な収納部がさらに設けられているため、被収納物の収納量を増大させることができる。
【００２９】
本発明の鞄によれば、既存の鞄に対して容易に装着できる収納部材に被収納物を収納することができるため、荷物が増えた場合でも、新しい鞄が不要になる。この結果、出張や旅行に便利である。
【００３０】
また、特殊な構造を備えていない既存の鞄に対して収納部材を装着できるため、鞄に対して特殊な構造を予め設ける必要がなくなり、日々の通勤時においても、鞄の持ち運びに支障が生じることがない。
【図面の簡単な説明】
【００３１】
【図１】本発明の第１実施形態に係る鞄に装着した収納部材の斜視図である。
【図２】（Ａ）は本発明の第１実施形態に係る収納部材の第１カバー部と第２カバー部とが１８０度開いた状態の正面図であり、（Ｂ）はその左側面図である。
【図３】本発明の第１実施形態に係る収納部材の第１カバー部と第２カバー部とが１８０度開いた状態の背面図である。
【図４】（Ａ）は本発明の第１実施形態に係る収納部材の第１カバー部と取付部とが略１８０度開いた状態における正面図であり、（Ｂ）はその右側面図である。
【図５】本発明の第１実施形態に係る収納部材（被収納物が収納されていない状態の収納部材）を鞄に装着した状態の左側面図である。
【図６】本発明の第１実施形態に係る収納部材（被収納物が収納されている状態の収納部材）を鞄に装着した状態の左側面図である。
【図７】図２（Ａ）のＸ−Ｘ間で切断した断面図である。
【図８】本発明の第２実施形態に係る鞄に装着した収納部材の斜視図である。
【図９】本発明の第２実施形態に係る鞄に装着した収納部材の正面図である。
【図１０】本発明の第２実施形態に係る鞄に装着した収納部材の平面図である。
【図１１】本発明の第２実施形態に係る鞄に装着した収納部材の底面図である。
【図１２】本発明の第２実施形態に係る鞄に装着した収納部材の側面図である。
【図１３】本発明の第２実施形態に係る収納部材に鞄を挿入するときの状態を示した図である。
【図１４】本発明の第２実施形態に係る収納部材に鞄と被収納物を収納した後の状態を示した図である。
【発明を実施するための形態】
【００３２】
次に、本発明の第１実施形態に係る収納部材及びこれを備えた鞄について、図面を参照して説明する。
【００３３】
図１乃至図７に示すように、第１実施形態の収納部材１０は、主として、鞄１の把持部３を挿通させるための挿通孔１２と、鞄１に装着された状態で鞄１の表面を覆うカバー部１４と、カバー部１４に設けられ被収納物を収納可能なカバー部側収納部１８と、を有している。
【００３４】
収納部材１０は、挿通孔１２に鞄１の把持部３を挿通させて、既存の鞄１の表面に装着するものである。既存の鞄１に対して容易に装着することができる点が本実施形態の収納部材１０の特徴の一つである。
【００３５】
収納部材１０の材質は、ナイロンやポリエステルなどの他に、麻、革、綿、絹、ゴムなどで構成可能であり、特定の材質に限られるものではない。
【００３６】
カバー部１４は、鞄１に装着された状態で鞄１の一方側表面のみを覆う片側タイプのものと、鞄１に装着された状態で鞄１の両側表面を覆う両側タイプのものと、がある。
【００３７】
なお、第１実施形態では、両側タイプを一例として説明するが、これに限られる趣旨ではない。
【００３８】
両側タイプのカバー部１４は、鞄１に装着された状態で鞄１の一方側表面５Ａを覆う第１カバー部１４Ａと、鞄１に装着された状態で鞄１の他方側表面５Ｂを覆う第２カバー部１４Ｂと、で構成されている。
【００３９】
図２（Ａ）及び図３に示すように、第１カバー部１４Ａと第２カバー部１４Ｂとが１８０度開いた状態の平面視では、収納部材全体として略長方形状に形成されている。
【００４０】
なお、収納部材全体として略長方形状に形成されているが、この形状に限られる趣旨ではなく、正方形などの角形状、円や楕円などの丸形状なども採用できる。
【００４１】
収納部材１０の略中央側には、前記挿通孔１２が形成されている。挿通孔１２は、収納部材１０を厚み方向に貫通する貫通孔である。挿通孔１２の形状は、例えば、長方形状に形成されているが、特に限定されるものではない。挿通孔１２の寸法は、鞄１の把持部３の大きさとの関係で決定され、把持部３が挿通できる程度であればよい。
【００４２】
なお、挿通孔１２には開口面積を調整するための開口面積調整機構を設けてもよい。開口面積調整機構として、例えば、スリット、チャック等が一例にあげられるが、これらに限定されるものではない。このように、開口面積調整機構を設けることにより、把持部３の大きさが鞄１の種類によって異なる場合でも、全ての種類の鞄１の把持部３を挿通孔１２に挿通させることができる。
【００４３】
挿通孔１２の近傍には、係合部１６が設けられている。係合部１６は、例えば、挿通孔１２の内縁側に設けられた係合片１６Ａと、係合片１６Ａと第１カバー部１４Ａ又は第２カバー部１４Ｂとの係合を維持するための係合維持手段１６Ｂと、を有している。
【００４４】
係合維持手段１６Ｂとして、例えば、係合片１６Ａ側に設けられた第１係合維持部と、第１カバー部１４Ａ側又は第２カバー部１４Ｂ側に設けられ第１係合維持部と係合する第２係合維持部と、で構成されている。
【００４５】
さらに詳細には、第１係合維持部と第２係合維持部とは面ファスナで構成されている。この構成では、第１係合維持部がフック状に起毛されたフック側又はループ状に密集して起毛されたループ側の一方で構成され、第２係合維持部がフック状に起毛されたフック側又はループ状に密集して起毛されたループ側の他方で構成されている。
【００４６】
なお、係合維持手段１６Ｂとは面ファスナに限られるものではなく、チャック、ボタン、紐、磁石、ベルトなど双方を相互に結び付け、あるいは相互に固定できる構成であればよい。
【００４７】
このように、係合部１６が設けられていることにより、既存の鞄１の把持部３が挿通孔１２を抜け出た状態を維持でき、収納部材１０が鞄１からはがれてしまうことを防止できる。
【００４８】
図４乃至図７に示すように、第１カバー部１４Ａには、カバー部側収納部１８が設けられている。図１等では、カバー部側収納部１８は、第１カバー部１４Ａの内側に設けられている構成を示すが、これに限られる趣旨ではない。
【００４９】
ここで、第１実施形態では、第１カバー部１４Ａの内側とは、収納部材１０を鞄１に装着した状態で外観からカバー部側収納部１８に視認できない位置と定義する。
【００５０】
当然ながら、カバー部側収納部１８は、第１カバー部１４Ａの外側、換言すれば、収納部材１０を鞄１に装着した状態で外観からカバー部側収納部１８に視認できる位置に設けられていてもよい。また、カバー部側収納部１８は、第１カバー部１４Ａの外側と内側の両方に設けられている構成でもよい。
【００５１】
カバー部側収納部１８は、全体として袋状に形成された袋状部で構成されている。換言すれば、カバー部側収納部１８は、ポケット部であると定義することも可能である。
【００５２】
カバー部側収納部１８の入口近傍には、被収納物を収納するときの入口を塞ぐための蓋部２０が設けられている。この蓋部２０は、係合維持手段２２（図４（Ａ）参照）によりカバー部側収納部１８の表面側に係合して、入口を封鎖する。
【００５３】
なお、係合維持手段２２として、例えば、面ファスナ等で構成されているが、チャック、ボタン、ベルト、紐、磁石等でもよい。
【００５４】
カバー部側収納部１８には、被収納物の収納量を調整するためのマチ部を適宜設けてもよい。
【００５５】
なお、上記カバー部側収納部１８は、第２カバー部１４Ｂ側に設けられていてもよく、あるいは、第１カバー部１４Ａと第２カバー部１４Ｂとの両方にそれぞれ設けられている構成でもよい。
【００５６】
ここで、カバー部側収納部１８が第２カバー部側に設けられている態様では、第１カバー部側に設けられている構成と同様にして、カバー部側収納部１８が第２カバー部１４Ｂの外側（外部から視認できる部位）又は内側（外部から視認できない部位）のいずれか一方又は両方に設けられる。
【００５７】
第１カバー部１４Ａには、取付部２４が接続されている。なお、取付部２４の第１カバー部１４Ａに対する接続方法として、例えば、縫い付け等により実現されているが、これに限られるものではなく、チャック、ベルト、ボタン等でもよい。
【００５８】
詳細には、第１カバー部１４Ａの内側、換言すれば図５及び図６においてカバー部側収納部１８が設けられている側には、取付部２４が接続されている。そして、この取付部２４の一部が前記蓋部２０を構成している。このため、取付部２４が蓋部２０の機能を兼ねることにより、部品点数を削減することができる。なお、取付部２４の一部とは、縫い付け部に関して一方側に延びた部位と定義する。
【００５９】
図４乃至図７に示すように、取付部２４の本体には、取付部側収納部２６が形成されている。なお、取付部２４の本体とは、縫い付け部に関して他方側に延びた部位と定義する。第１実施形態では、取付部２４の本体側が一部側より長くなるように設定されている。
【００６０】
取付部側収納部２６は、カバー部側収納部１８と同様にして、全体として袋状に形成された袋状部で構成されている。換言すれば、取付部側収納部２６は、ポケット部と定義することも可能である。
【００６１】
取付部側収納部２６の入口には、係合維持手段２８（図４（Ａ）参照）が設けられている。係合維持手段２８として、例えば、面ファスナ等で構成されているが、チャック、ボタン、ベルト等で構成してもよい。係合維持手段２８が設けられていることにより、取付部側収納部２６の入口を閉塞又は開放することが可能になる。
【００６２】
取付部側収納部２６には、カバー部側収納部１８と同様にして、蓋部やマチ部を適宜設けてもよい。
【００６３】
ここで、図５及び図６に示すように、収納部材１０が鞄１に装着された状態では、カバー部側収納部１８と取付部側収納部２６が鞄１の一方側表面５Ａ側に位置する。そして、カバー部側収納部１８が取付部側収納部２６と対面する。詳細には、収納部材１０が装着された鞄１の側面方向から見て、カバー部側収納部１８と鞄１の一方側表面５Ａとの間に、取付部側収納部２６が位置している。
【００６４】
これにより、カバー部側収納部１８と取付部側収納部２６との両方を配置した構成においても、鞄１の側面方向のデッドスペースを利用することができるため、全体としてコンパクトに調整することができる。この結果、鞄１が歪な形になって持ち運び難くなることがない。
【００６５】
収納部材１０が鞄１に装着された状態では、カバー部側収納部１８の端部と取付部側収納部２６の端部とが略一致するように設定されている。これにより、収納部材１０を鞄１に装着したときの意匠性が向上する。
【００６６】
なお、当然ながら、カバー部側収納部１８の端部と取付部側収納部２６の端部とが略一致する構成に限定されるものではなく、いずれか一方の長さが他方よりも長くなるように設計してもよい。  
【００６７】
取付部２４は、第１カバー部１４Ａと第２カバー部１４Ｂとの間に配置されている構成に限られず、第１カバー部１４Ａの外側表面又は第２カバー部１４Ｂの外側表面に位置している構成でもよい。
【００６８】
また、取付部２４には、ベルト通し部（図示省略）を適宜設け、ベルト通し部にショルダーベルトを通してもよい。ベルト通し部として、例えば、リング状部等が挙げられるが、これに限定される趣旨ではない。さらには、ベルト通し部は、取付部２４以外の部位に設けられている構成でもよい。
【００６９】
このように、ベルト通し部を設け、これにショルダーベルトを通すことにより、鞄１が重い場合でも、肩にかけることができる。この結果、収納部材１０及び鞄１の携帯性を高めることができる。
【００７０】
図２乃至図６に示すように、第１カバー部１４Ａ側と第２カバー部１４Ｂ側とを相対的に固定するための固定部３０が設けられている。
【００７１】
固定部３０は、第１カバー部１４Ａ側と第２カバー部１４Ｂ側とを相対的に固定できる構成であれば、特に構成が限定されるものではない。
【００７２】
第１実施形態では、図３乃至図６に示すように、固定部３０は、第１カバー部１４Ａ側に含まれる取付部２４の端部、換言すれば取付部側収納部２６の端部に設けられたリング状部３０Ａと、第２カバー部１４Ｂの端部に設けられた紐状部３０Ｂと、で構成されている。
【００７３】
収納部材１０の第１カバー部１４Ａを鞄１の一方側表面５Ａに被せ、第２カバー部１４Ｂを鞄１の他方側表面５Ｂに被せた後、紐状部３０Ｂをリング状部３０Ａに通して結びつけることにより、第１カバー部１４Ａ側と第２カバー部１４Ｂ側とを相対的に固定することができる。そして、紐状部３０Ｂが鞄１の底面を横断する状態になるため、収納部材１０が鞄１からはがれてしまうことを防止できる。
【００７４】
なお、固定部３０の構成は上記に限定されることはなく、例えば、ベルト、バックル、紐などの構成を採用してもよい。
【００７５】
第１実施形態によれば、図１及び図５に示すように、収納部材１０の挿通孔１２に鞄１の把持部３を挿通させ、第１カバー部１４Ａを鞄１の一方側表面５Ａに被せ、第２カバー部１４Ｂを鞄１の他方側表面５Ｂに被せる。そして、固定部３０により第１カバー部側と第２カバー部側とを相対的に固定する。これにより、収納部材１０が鞄１からはがれてしまうことを防止できる。
【００７６】
そして、カバー部側収納部１８と取付部側収納部２６とに被収納物を収納する。これにより、緊急の出張等においても、既存の鞄１に収納部材１０を装着することにより、被収納物の収納量を増大させることができる。この結果、既存の鞄１をそのまま出張用鞄として利用することができ、着替え等の被収納物を収納するための新しい鞄をわざわざ購入する必要がない。
【００７７】
このように、緊急の出張時には、収納部材１０を既存の鞄１に対して容易に装着することができるため、既存の鞄１に特殊な構造を一切施す必要がなく、鞄１の部品点数を削減できる。さらには、鞄１が大型化することを防止できる。これにより、日々の通勤時においては、たとえ緊急の出張の予定が入ることが予想できない場合でも、小型の鞄１を携帯することができ、鞄１の持ち運びに支障が生じることがない。
【００７８】
なお、収納部材１０を使用しない場合には、収納部材１０を丸めて小さくすることができる。そして、収納部材１０を既存の鞄１の内部に収容するか、あるいは勤務先の机の引き出し等に収容しておくことにより、緊急の出張があった場合に利用することができ、便利である。
【００７９】
また、収納部材１０を既存の鞄１に装着した状態では、各収納部１８、２６が鞄１の表面方向側に設けられたデッドスペースに位置する。これにより、図６に示すように、大量の被収納物を収納して各収納部１８、２６の容積が増えた場合でも、鞄１のデットスペースを有効に利用することができるため、鞄全体が歪な形に大きく膨らむことを防止できる。
【００８０】
また、第１カバー部１４Ａが鞄１の一方側表面５Ａに被せられ、第２カバー部１４Ｂが鞄１の他方側表面５Ｂに被せられることにより、鞄１の表面を収納部材１０で覆うことができる。これにより、鞄１の表面が収納部材１０に隠れることになり、鞄１の防水機能を高めることができる。この結果、雨天時において収納部材１０を鞄１に装着することにより、鞄１が濡れたり、あるいは汚れたりすることを防止することができる。
【００８１】
さらに、第１実施形態では、収納部材１０に第１カバー部１４Ａと第２カバー部１４Ｂとを設けることにより、カバー部側収納部１８を第１カバー部１４Ａ又は第２カバー部１４Ｂのいずれかに設けることができる。この結果、カバー部側収納部１８の設計自由度を高めることができる。
【００８２】
次に、本発明の第２実施形態に係る収納部材及びこれを備えた鞄について、図面を参照して説明する。なお、第１実施形態の構成と重複する構成の説明は、適宜省略する。
【００８３】
図８乃至図１４に示すように、第２実施形態の収納部材１００は、主として、鞄１の把持部３を挿通させるための挿通孔１０２と、鞄１に装着された状態で鞄１の表面を覆うカバー部１０４と、カバー部１０４に設けられ被収納物９（図１４参照）を収納可能な一体型収納部１０６と、を有している。
【００８４】
収納部材１００は、挿通孔１０２に鞄１の把持部３を挿通させて、既存の鞄１の表面に装着するものである。既存の鞄１に対して容易に装着することができる点、及び鞄１全体を包み込み鞄１の略全表面を覆う点が本実施形態の収納部材１０の特徴の一つである。
【００８５】
収納部材１００の材質は、ナイロンやポリエステルなどの他に、麻、革、綿、絹、ゴムなどで構成可能であり、特定の材質に限られるものではない。
【００８６】
カバー部１０４は、鞄１が収納され、鞄全体を包み込むタイプのものである。このため、カバー部１０４に収納された鞄１の全表面がカバー部１０４により覆われている。
【００８７】
カバー部１０４は、鞄１の厚みに対応した所定のマチ部を有し鞄全体を包み込むカバー部本体１０８と、カバー部本体１０８に形成された上記挿通孔１０２と、鞄１を挿入可能なカバー部側開口部１１０と、カバー部側開口部１１０を開閉するカバー部側開閉部１１２と、を有している。
【００８８】
挿通孔１０２は、カバー部本体１０８の略中央部に形成されており、カバー部本体１０８を厚み方向に貫通する貫通孔である。挿通孔１０２の形状は、例えば、長方形状に形成されているが、特に限定されるものではない。挿通孔１０２の寸法は、鞄１の把持部３の大きさとの関係で決定され、把持部３が挿通できる程度であればよい。
【００８９】
カバー部側開口部１１０は、例えば、鞄１をカバー部１０４の内部に挿入するときの挿入口である。カバー部側開口部１１０は、例えば、カバー部１０４の下側面に形成されているが、この位置に限定されるものではない。
【００９０】
カバー部側開閉部１１２は、カバー部側開口部１１０を開閉するものである。カバー部側開閉部１１２は、カバー部側開口部１１０を開放あるいは閉塞することが可能である。カバー部側開閉部１１２は、例えば、チャック部１１４を採用できる。
【００９１】
鞄１をカバー部本体１０８に収納するときにカバー部側開口部１１０を開いて鞄１をカバー部側開口部１１０からカバー部本体１０８の内部に挿入する。その後、カバー部側開閉部１１２によりカバー部側開口部１１０を閉じる。これにより、鞄１がカバー部本体１０８の内部に完全に収納された状態になる。このため、外部から鞄１を視認することができなくなり、内部に鞄１を収納した収納部材１００が全体としてひとつの鞄１という印象を与える。
【００９２】
挿通孔１０２の近傍には、係合部１１６が設けられている。係合部１１６は、例えば、挿通孔１０２の内縁側に設けられた係合片１１８と、係合片１１８と係合する被係合片１２０と、を有している。係合片１１８は、被係合片１２０に対して重なり合い、その状態が維持される。
【００９３】
さらに詳細には、係合片１１８と被係合片１２０との間には、面ファスナ１１９が介在されている。例えば、面ファスナ１１９は、係合片１１８の上面に設けられている。面ファスナ１１９の構成については、第１実施形態と同様であり、説明を省略する。
【００９４】
なお、面ファスナ１１９に限られるものではなく、チャック、ボタン、紐、磁石、ベルトなど双方を相互に結び付け、あるいは相互に固定できる構成であればよい。
【００９５】
このように、挿通孔１０２から鞄１の把持部３を突出させた状態で挿通孔１２０の開口の一部を係合部１１６により塞ぐことが可能になり、既存の鞄１の把持部３が挿通孔１０２から抜け出た状態を維持できる。また、内部の鞄１の上面の一部を係合部１１６によって覆い隠すことができ、収納部材１００の高いデザイン性を維持することができる。
【００９６】
カバー部１０４には、一体型収納部１０６が設けられている。図８乃至図１４では、一体型収納部１０６は、カバー部１０４の両面側に設けられている構成を示すが、これに限られるものではない。
【００９７】
図１２に示すように、一体型収納部１０６がカバー部１０４の両面側に設けられていることにより、収納部材１００の側面視において収納部材１００の高さ方向に延びる中心線を基準として一体型収納部１０６が対称位置に配置されることになる。これにより、収納部材１００の向きによってデザインが変わることがなくなり、収納部材１００のデザインの対称性を創出でき、ひいては高いデザイン性を維持できる。
【００９８】
カバー部１０４の厚み方向の中央部にカバー部側開口部１１０とカバー部側開閉部１１２が配置されているため、一体型収納部１０６との位置関係から、収納部材１００の収納部材１００の高さ方向に延びる中心線を基準としたデザインの対称性を創出できる。
【００９９】
一体型収納部１０６は、カバー部１０４に一体的に設けられたものであるが、これに限定されるものではない。例えば、一体型収納部１０６とカバー部１０４とが別個独立して設けられ、相互に着脱自在に取り付けられる構成でもよい。
【０１００】
ここで、一体型収納部１０６がカバー部１０４に一体的に設けられている構成においても、両者の収納スペースは区画形成されている。
【０１０１】
一体型収納部１０６は、衣類や小物などの被収納物９を挿入可能な収納部側開口部１２２と、収納部側開口部１２２を開閉するための収納部側開閉部１２４と、を有する。
【０１０２】
収納部側開口部１２２は、例えば、被収納物９を一体型収納部１０６の内部に挿入するときの挿入口である。収納部側開口部１２２は、例えば、一体型収納部１０６の上面側に形成されているが、この位置に限定されるものではない。
【０１０３】
収納部側開閉部１２４は、収納部側開口部１２２を開閉するものである。収納部側開閉部１２４は、収納部側開口部１２２を開放あるいは閉塞することが可能である。収納部側開閉部１２４は、例えば、チャック部１２６が採用される。
【０１０４】
例えば、被収納物９を一体型収納部１０６に収納するときに収納部側開口部１２２を開いて被収納物９を収納部側開口部１２２から一体型収納部１０６の内部に挿入する。その後、収納部側開閉部１２４により収納部側開口部１０６を閉じる。これにより、被収納物９が一体型収納部１０６の内部に完全に収納された状態になる。このため、外部から被収納物９を視認することができなくなる。また、一体型収納部１０６の内部に被収納物９を収納した状態でも、一体型収納部１０６が型崩れせず、デザイン性が低下することがない。
【０１０５】
第２実施形態によれば、カバー部１０４の内部に鞄１を完全に収納することができる。これにより、鞄１が把持部１０３を除き、外部から視認されず、収納部材１００全体として一つの鞄１というデザインを創出できる。これにより、外部から見ても違和感がないどころか、デザイン性の高い鞄１という印象を与えることができる。
【０１０６】
カバー部１０４は、カバー部側開口部１１０を開閉するためのカバー部側開閉部１１２を有することにより、カバー部側開口部１１０がカバー部側開閉部１１２により閉じられる。これより、鞄１を収納した後に鞄１がカバー部側開口部１１０から抜け落ちることを防止できる。また、カバー部側開口部１１０をカバー部側開閉部１１２により閉じることにより、収納部材１００の内部に収納された鞄１を完全に隠すことができ、デザイン性を高めることができる。
【０１０７】
カバー部側開閉部１１２がチャック部１１４であることにより、カバー部側開口部１１０を容易に開閉することができ、かつ、カバー部側開口部１１０を確実に閉じることができる。これにより、収納部材１００の内部の鞄１を確実に隠すことができる。
【０１０８】
カバー部側開閉部１１２がチャック部１１４で構成されていることにより、カバー部側開口部１１０を確実に閉じることができ、かつ外部からカバー部側開口部１１０が視認されない程度にカバー部側開口部１００を目立たなくすることができる。
【０１０９】
一体型収納部１０６は、衣類や小物等の被収納物９を挿入可能な収納部側開口部１２２と、収納部側開口部１２２を開閉するための収納部側開閉部１２４と、を有するため、収納部側開閉部１２４により収納部側開口部１２２を閉じることにより、被収納物９を確実に収納することができるとともに、一体型収納部１０６の型崩れを防止できる。これにより、衣類や小物等の被収納物９を収納したことにより一体型収納部１０６が膨らんだ状態になっても、収納部材１００のデザイン性が低下することを防止できる。
【０１１０】
収納部側開閉部１２４がチャック部１２６で構成されていることにより、収納部側開口部１２２を容易に開閉することができ、かつ収納部側開口部１２２を確実に閉じることができる。また、チャック部１２６が鞄１の一機能として認識され易くなり、高いデザイン性を維持しつつ、全体として鞄１の自然な印象を与えることができる。
【符号の説明】
【０１１１】
１        鞄
３        把持部
５Ａ      一方側表面
５Ｂ      他方側表面
９        被収納物
１０      収納部材
１２      挿通孔
１４      カバー部
１４Ａ    第１カバー部
１４Ｂ    第２カバー部
１６      係合部
１８      カバー部側収納部（収納部）
２０      蓋部
２２      係合手段
２４      取付部
２６      取付部側収納部（収納部）
２８      係合維持手段
３０      固定部
３０Ａ    リング状部
３０Ｂ    紐状部  
１００    収納部材
１０２    挿通孔
１０４    カバー部
１０６    一体型収納部（収納部）
１０８    カバー部本体
１１０    カバー部側開口部
１１２    カバー部側開閉部
１１４    チャック部
１１６    係合部
１１８    係合片
１２０    被係合片
１２２    収納部側開口部
１２４    収納部側開閉部
１２６    チャック部
【図１】
2015181768.tif 000003
【図２】
2015181768.tif 000004
【図３】
2015181768.tif 000005
【図４】
2015181768.tif 000006
【図５】
2015181768.tif 000007
【図６】
2015181768.tif 000008
【図７】
2015181768.tif 000009
【図８】
2015181768.tif 000010
【図９】
2015181768.tif 000011
【図１０】
2015181768.tif 000012
【図１１】
2015181768.tif 000013
【図１２】
2015181768.tif 000014
【図１３】
2015181768.tif 000015
【図１４】
2015181768.tif 000016
【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
鞄の把持部を挿通させるための挿通孔が形成され、当該挿通孔に前記把持部を挿通させて前記鞄の表面に覆う収納部材であって、
前記鞄の表面を覆うカバー部と、
前記カバー部に設けられ被収納物を収納可能な収納部と、
を有し、
前記カバー部は、前記鞄を挿入可能なカバー部側開口部を有し、当該カバー部側開口部から挿入して収納した前記鞄の前記挿通孔から露出した部位を除く全表面を覆うことを特徴とする収納部材。
【請求項２】
前記カバー部は、前記カバー部側開口部を開閉するためのカバー部側開閉部を有することを特徴とする請求項１に記載の収納部材。
【請求項３】
前記カバー部側開閉部は、チャック部であることを特徴とする請求項２に記載の収納部材。
【請求項４】
前記収納部は、前記被収納物を挿入可能な収納部側開口部と、前記収納部側開口部を開閉するための収納部側開閉部と、を有することを特徴とする請求項１乃至３のいずれか１項に記載の収納部材。
【請求項５】
前記収納部側開閉部は、チャック部であることを特徴とする請求項４に記載の収納部材。
【請求項６】
請求項１乃至５のいずれか１項に記載の収納部材が表面に装着されていることを特徴とする鞄。
【手続補正２】
【補正対象書類名】明細書
【補正対象項目名】０００９
【補正方法】変更
【補正の内容】
【０００９】
本発明は、鞄の把持部を挿通させるための挿通孔が形成され、当該挿通孔に前記把持部を挿通させて前記鞄の表面に覆う収納部材であって、前記鞄の表面を覆うカバー部と、前記カバー部に設けられ被収納物を収納可能な収納部と、を有し、前記カバー部は、前記鞄を挿入可能なカバー部側開口部を有し、当該カバー部側開口部から挿入して収納した前記鞄の前記挿通孔から露出した部位を除く全表面を覆うことを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】